(57)【要約】ネットワーク機器とユーザ機器間の伝送方法、ネットワーク機器伝送方法、ユーザ機器受信方法、ネットワーク機器、ユーザ機器および遠隔通信システムが開示される。チャネルを介して伝送され、情報要素を含むパケットが、各情報要素がそのパケット内のその情報要素を識別する識別子を有する所定のフォーマットに従って多重化される。方法は、チャネルを介して伝送されるパケットが２つ以上の情報要素を含まないことを判定するステップと、チャネルを介して伝送されるパケットが、識別子が提供されない修正フォーマットでエンコードされることを表す標識をネットワーク機器とユーザ機器間で伝送するステップと、すべての識別子が省略された修正フォーマットでエンコードされたパケットをチャネルを介して伝送するステップと、データ・チャネルを介して受信されたパケットを、情報要素を抽出するために修正フォーマットに従ってデコードするステップとを含む。
2011509577.tif 000002
【特許請求の範囲】
【請求項１】
ネットワーク機器とユーザ機器との間における伝送方法であって、チャネルを介して伝送されるパケットは、所定のフォーマットに従って多重化される情報要素を含み、前記情報要素の各々は、そのパケット内のその情報要素を識別する識別子を有し、前記方法が、
前記チャネルを介して伝送されるパケットが２つ以上の情報要素を含まないことを判定するステップと、
識別子が提供されない修正フォーマットで前記チャネルを介して伝送される前記パケットがエンコードされることを表す標識を前記ネットワーク機器と前記ユーザ機器間で伝送するステップと、
すべての識別子が省略された前記修正フォーマットでエンコードされたパケットを前記チャネルを介して伝送するステップと、
前記情報要素を抽出するために、前記データ・チャネルを介して受信された前記パケットを前記修正フォーマットに従ってデコードするステップとを含む方法。
【請求項２】
判定する前記ステップは、前記ユーザ機器からのランダム・アクセス・プリアンブルを前記ネットワーク機器で受信するステップを含み、標識を伝送する前記ステップは、前記ネットワーク機器から前記ユーザ機器にランダム・アクセス無線ネットワーク一時識別子を伝送するステップを含み、パケットを伝送する前記ステップは、ランダム・アクセス応答を前記情報要素として含む変更媒体アクセス制御プロトコル・データ・ユニットを前記ネットワーク機器から前記ユーザ機器に伝送するステップを含み、デコードする前記ステップは、前記ランダム・アクセス応答を抽出するために前記変更媒体アクセス制御プロトコル・データ・ユニットが前記修正フォーマットでエンコードされていることを前記ユーザ機器の媒体アクセス制御層に知らせるステップを含む、請求項１に記載の方法。
【請求項３】
判定する前記ステップは、ブロードキャスト・チャネル伝送を開始するステップを含み、標識を伝送する前記ステップは、前記ネットワーク機器から前記ユーザ機器にブロードキャスト制御チャネル無線ネットワーク一時識別子を伝送するステップを含み、パケットを伝送する前記ステップは、ブロードキャスト情報を前記情報要素として含む変更媒体アクセス制御プロトコル・データ・ユニットを前記ネットワーク機器から前記ユーザ機器に伝送するステップを含み、デコードする前記ステップは、前記変更媒体アクセス制御プロトコル・データ・ユニットが前記ブロードキャスト情報を抽出するために前記修正フォーマットでエンコードされていることを前記ユーザ機器の媒体アクセス制御層に知らせるステップを含む、請求項１に記載の方法。
【請求項４】
判定する前記ステップは、ページング・チャネル伝送を開始するステップを含み、標識を伝送する前記ステップは、前記ネットワーク機器から前記ユーザ機器にページング制御チャネル無線ネットワーク一時識別子を伝送するステップを含み、パケットを伝送する前記ステップは、ページング情報を前記情報要素として含む変更媒体アクセス制御プロトコル・データ・ユニットを前記ネットワーク機器から前記ユーザ機器に伝送するステップを含み、デコードする前記ステップは、前記変更媒体アクセス制御プロトコル・データ・ユニットが前記ページング情報を抽出するために前記修正フォーマットでエンコードされていることを前記ユーザ機器の媒体アクセス制御層に知らせるステップを含む、請求項１に記載の方法。
【請求項５】
ネットワーク機器伝送方法であって、チャネルを介してユーザ機器に伝送されるパケットが、所定のフォーマットに従って多重化される情報要素を含み、前記情報要素の各々がそのパケット内のその情報要素を識別する識別子を有し、前記方法が、
前記チャネルを介して伝送されるパケットが２つ以上の情報要素を含まないことを前記ネットワーク機器で判定するステップと、
識別子が提供されない修正フォーマットで前記チャネルを介して伝送される前記パケットがエンコードされることを表す標識を伝送するステップと、
すべての識別子が省略された前記修正フォーマットでエンコードされたパケットを前記チャネルを介して伝送するステップと、を含む方法。
【請求項６】
ユーザ機器受信方法であって、ネットワーク機器からチャネルを介して受信されるパケットが、所定のフォーマットに従って多重化される情報要素を含み、前記情報要素の各々がそのパケット内のその情報要素を識別する識別子を有し、前記方法が、
識別子が提供されない修正フォーマットで前記チャネルを介して伝送される前記パケットがエンコードされることを表す標識を受信するステップと、
すべての識別子が省略された前記修正フォーマットでエンコードされたパケットを前記チャネルを介して受信するステップと、
前記情報要素を抽出するために、前記修正フォーマットに従って前記データ・チャネルを介して受信された前記パケットをデコードするステップと、を含む方法。
【請求項７】
前記ネットワーク機器が発展型ユニバーサル地上無線アクセス・ネットワークのノードＢであり、前記チャネルがダウンリンク共用チャネルである、請求項１乃至６のいずれか１項に記載の方法。
【請求項８】
パケットをチャネルを介してユーザ機器に伝送するネットワーク機器であって、前記パケットは、所定のフォーマットに従って多重化される情報要素を含み、前記情報要素の各々がそのパケット内のその情報要素を識別する識別子を有し、前記ネットワーク機器が、
前記チャネルを介して伝送されるパケットが２つ以上の情報要素を含まないことを判定するよう動作可能な判定手段と、
識別子が提供されない修正フォーマットで前記チャネルを介して伝送される前記パケットがエンコードされることを表す標識を前記ネットワーク機器と前記ユーザ機器間で伝送するように、そして、すべての識別子が省略された前記修正フォーマットでエンコードされたパケットを前記チャネルを介して伝送するように動作可能な伝送手段と、を有するネットワーク機器。
【請求項９】
パケットをチャネルを介してネットワーク機器から受信するユーザ機器であって、前記パケットは、所定のフォーマットに従って多重化される情報要素を含み、前記情報要素の各々がそのパケット内のその情報要素を識別する識別子を有し、前記ユーザ機器が、
識別子が提供されない修正フォーマットで前記チャネルを介して伝送される前記パケットがエンコードされることを表す、前記ネットワーク機器と前記ユーザ機器間で伝送される標識を受信するように、そして、前記修正フォーマットでエンコードされたパケットを前記チャネルを介して受信するように動作可能な受信手段と、
前記情報要素を抽出するために前記修正フォーマットに従って前記データ・チャネルを介して受信された前記パケットをデコードするように動作可能なデコーディング手段と、を有するユーザ機器。
【請求項１０】
請求項８に記載の少なくとも１つのネットワーク機器と、請求項９に記載の少なくとも１つのユーザ機器を備える遠隔通信システム。
【発明の詳細な説明】
【技術分野】
【０００１】
本発明は、ネットワーク機器とユーザ機器間の伝送方法、ネットワーク機器伝送方法、ユーザ機器受信方法、ネットワーク機器、ユーザ機器および遠隔通信システムに関する。
【背景技術】
【０００２】
第３世代（３Ｇ）Ｅ−ＵＴＲＡＮ（発展型ユニバーサル地上無線アクセス・ネットワーク）の遠隔通信システム（３ＧＰＰ仕様書の記載のとおり）では、多数のＥ−ＵＴＲＡＮノードＢ（ｅＮＢ）が多数のユーザ機器（ＵＥ）と通信するような仕組みになっている。この通信をサポートするためにｅＮＢとＵＥ間に多数のチャネルが設けられる。ＤＬ−ＳＣＨ（ダウンリンク共用チャネル）およびＵＬ−ＳＣＨ（アップリンク共用チャネル）では、情報は、ｅＮＢとＵＥ間の制御情報およびトラフィック情報の伝送を可能にするために多重化される。ＤＬ−ＳＣＨおよびＵＬ−ＳＣＨは多数の論理チャネルを搬送し、それらの論理チャネルに関連付けられたＵＥ上の多数の様々なアプリケーションは、それぞれがそのチャネルを介して制御情報およびトラフィック情報を送受信することができる。したがって、ＤＬ−ＳＣＨを介して伝送される情報は、ＭＡＣ  ＰＤＵ（媒体アクセス制御プロトコル・データ・ユニット）として形成され、図１に示されているように、ＭＡＣ  ＰＤＵはＭＡＣヘッダおよびＭＡＣペイロードで構成される。ＭＡＣヘッダは、ＭＡＣペイロードのコンテンツに関する情報を提供する。ＭＡＣペイロードは、多数のＭＡＣ  ＳＤＵ（ＭＡＣサービス・データ・ユニット）および多数のＭＡＣ  ＣＥ（ＭＡＣ制御要素）およびオプショナルの充てん文字で構成される。ＭＡＣヘッダは、１つまたは複数のＭＡＣ  ＰＤＵサブヘッダで構成され、各サブヘッダはＭＡＣ  ＳＤＵ、ＭＡＣ  ＣＥまたは充てん文字に対応する。ＭＡＣ  ＳＤＵ、ＭＡＣ  ＣＥまたは充てん文字に関連付けられたＭＡＣ  ＰＤＵサブヘッダは、ＬＣＩＤ（論理チャネル識別子）および他のヘッダ情報で構成される。ＭＡＣ  ＰＤＵサブヘッダ、ＭＡＣ  ＳＤＵ、ＭＡＣ  ＣＥおよび充てん文字が連結されてＭＡＣ  ＰＤＵが形成される。ＭＡＣ  ＣＥはＭＡＣ  ＳＤＵがあればその前に配置され、充てん文字はＭＡＣ  ＰＤＵの末尾に置かれる。ＭＡＣヘッダおよびＭＡＣ  ＳＤＵは両方とも可変サイズを有することができる。そして、ユーザ機器ごと、転送ブロックごとに最大１つのＭＡＣ  ＰＤＵが伝送される。そのため、ＤＬ−ＳＣＨを介して異なる論理チャネルの情報を伝送することができ、ユーザ機器で実行されている様々なアプリケーションに情報を提供できることが分かる。
【０００３】
ｅＮＢとＵＥ間の伝送に改良された手法を提供することが望まれている。
【発明の概要】
【課題を解決するための手段】
【０００４】
本発明の第１の態様によれば、ネットワーク機器とユーザ機器間の伝送方法であって、チャネルを介して伝送されるパケットが、所定のフォーマットに従って多重化される情報要素を含み、その所定のフォーマットでは各情報要素がそのパケット内のその情報要素を識別する識別子を有する伝送方法が提供され、その方法は、チャネルを介して伝送されるパケットが２つ以上の情報要素を含まないことを判定するステップと、チャネルを介して伝送されるパケットが、識別子が提供されない修正フォーマットでエンコードされることを表す標識をネットワーク機器とユーザ機器間で伝送するステップと、すべての識別子が省略された修正フォーマットでエンコードされたパケットをチャネルを介して伝送するステップと、データ・チャネルを介して受信されたパケットを、情報要素を抽出するために修正フォーマットに従ってデコードするステップとを含む。
【０００５】
第１の態様は、例えば、ＭＡＣ  ＰＤＵなど、唯一の情報要素がパケットに入れられてネットワーク機器からユーザ機器へ伝送される特定の状況があることを容認している。しかし、例えば、ＭＡＣ  ＳＤＵなど、唯一の情報要素を伝送する時でも、ＭＡＣ  ＰＤＵは、ＬＣＩＤを含むサブヘッダを必要とする。第１の態様は、これらの状況では、例えば、制御メッセージなどの標識が制御チャネルで提供されること、およびこの標識は、この特定のタイプのメッセージが伝送されることをユーザ機器に知らせるために使用できることも容認している。
【０００６】
したがって、チャネルを介して伝送されるパケットは、唯一の情報要素を含むパケットであるかの判定が行われる。次に、唯一の情報要素を含むパケットが伝送されることを表す標識が伝送され、したがって、そのパケットは、識別子が含まれない修正フォーマットで伝送できる。次に、パケットが識別子なしでチャネルを介して伝送される。次に、識別子からそのパケットは修正フォーマットで提供されることが分かるので、パケットがデコードできる。次に、情報要素が抽出できる。したがって、パケットは識別子なしで伝送することができ、その場合でも情報要素が抽出できることが分かる。これは、パケットのサイズを縮小し、他の場合に識別子を含むことにより発生する追加オーバーヘッドを節約する。
【０００７】
一実施形態では、判定するステップは、ネットワーク機器でユーザ機器からのランダム・アクセス・プリアンブルを受信するステップを含み、標識を伝送するステップは、ネットワーク機器からユーザ機器にランダム・アクセス無線ネットワーク一時識別子を伝送するステップを含み、パケットを伝送するステップは、ネットワーク機器からユーザ機器に、ランダム・アクセス応答を情報要素として含む変更媒体アクセス制御プロトコル・データ・ユニットを伝送するステップを含み、デコードするステップは、ユーザ機器の媒体アクセス制御層に、変更媒体アクセス制御プロトコル・データ・ユニットは、ランダム・アクセス応答を抽出するために修正フォーマットでエンコードされていることを知らせるステップを含む。
【０００８】
ランダム・アクセス応答は、ＭＡＣ  ＰＤＵからＬＣＩＤを省略してよい１つの特別な例である。ランダム・アクセス要求を受信すると、ネットワーク機器、例えば、ｅＮＢなどは、ＭＡＣ  ＰＤＵがランダム・アクセス応答のみを含み、したがって、ＬＣＩＤを含む必要がないと判定する。したがって、ネットワーク機器は、ランダム・アクセス無線ネットワーク一時識別子（ＲＡ−ＲＮＴＩ）をユーザ機器に伝送する。この識別子を受信することは、ユーザ機器に、ＭＡＣ  ＰＤＵはＬＣＩＤを含まないように変更されていることを知らせることになる。したがって、変更ＭＡＣ  ＰＤＵを受信すると、ユーザ機器は、物理層からＭＡＣプロトコル層に、ＬＣＩＤが含まれない修正フォーマットでエンコードされた変更ＭＡＣ  ＰＤＵが受信されたことを知らせる。そのため、ＭＡＣプロトコル層は、変更ＭＡＣ  ＰＤＵからランダム・アクセス応答を正しく抽出することができる。このように、ＭＡＣ  ＰＤＵにＬＣＩＤを含む必要がなくなり、それにより、オーバーヘッドが減少することが分かる。
【０００９】
一実施形態では、判定するステップは、ブロードキャスト・チャネル伝送を開始するステップを含み、標識を伝送するステップは、ネットワーク機器からユーザ機器にブロードキャスト制御チャネル無線ネットワーク一時識別子を伝送するステップを含み、パケットを伝送するステップは、ネットワーク機器からユーザ機器に、ブロードキャスト情報を情報要素として含む変更媒体アクセス制御プロトコル・データ・ユニットを伝送するステップを含み、デコードするステップは、ユーザ機器の媒体アクセス制御層に、変更媒体アクセス制御プロトコル・データ・ユニットは、ブロードキャスト情報を抽出するために修正フォーマットでエンコードされていることを知らせるステップを含む。
【００１０】
同様に、ブロードキャスト情報を伝送するステップは、ＭＡＣ  ＰＤＵからＬＣＩＤを省略してよいもう１つの特別な例である。ネットワーク機器、例えば、ｅＮＢなどは、ＭＡＣ  ＰＤＵがラブロードキャスト情報のみを含み、したがって、ＬＣＩＤを含む必要がないと判定する。ネットワーク機器は、ブロードキャスト制御チャネル無線ネットワーク一時識別子（ＢＣＣＨ−ＲＮＴＩ）を伝送する。ＢＣＣＨ−ＲＮＴＩを受信すると、ユーザ機器は、ＬＣＩＤを含まない変更ＭＡＣ  ＰＤＵが受信されると判定する。したがって、変更ＭＡＣ  ＰＤＵを受信すると、ユーザ機器は、物理層からＭＡＣプロトコル層に、ＬＣＩＤが含まれない修正フォーマットでエンコードされた変更ＭＡＣ  ＰＤＵが受信されたことを知らせる。そのため、ＭＡＣプロトコル層は、変更ＭＡＣ  ＰＤＵからブロードキャスト情報を正しく抽出することができる。このように、ＭＡＣ  ＰＤＵにＬＣＩＤを含む必要がなくなり、それにより、オーバーヘッドが減少することが分かる。
【００１１】
一実施形態では、判定するステップは、ページング・チャネル伝送を開始するステップを含み、標識を伝送するステップは、ネットワーク機器からユーザ機器にページング制御チャネル無線ネットワーク一時識別子を伝送するステップを含み、パケットを伝送するステップは、ネットワーク機器からユーザ機器に、ページング情報を情報要素として含む変更媒体アクセス制御プロトコル・データ・ユニットを伝送するステップを含み、デコードするステップは、ユーザ機器の媒体アクセス制御層に、変更媒体アクセス制御プロトコル・データ・ユニットは、ページング情報を抽出するために修正フォーマットでエンコードされていることを知らせるステップを含む。
【００１２】
同様に、ページング情報を伝送するステップは、ＭＡＣ  ＰＤＵからＬＣＩＤを省略してよいもう１つの特別な例である。ネットワーク機器、例えば、ｅＮＢなどは、ＭＡＣ  ＰＤＵがページング情報のみを含み、したがって、ＬＣＩＤを含む必要がないと判定する。ネットワーク機器は、ブロードキャスト制御チャネル無線ネットワーク一時識別子（ＰＣＣＨ−ＲＮＴＩ）を伝送する。ＰＣＣＨ−ＲＮＴＩを受信すると、ユーザ機器は、ＬＣＩＤを含まない変更ＭＡＣ  ＰＤＵが受信されると判定する。したがって、変更ＭＡＣ  ＰＤＵを受信すると、ユーザ機器は、物理層からＭＡＣプロトコル層に、ＬＣＩＤが含まれない修正フォーマットでエンコードされた変更ＭＡＣ  ＰＤＵが受信されたことを知らせる。そのため、ＭＡＣプロトコル層は、変更ＭＡＣ  ＰＤＵからページング情報を正しく抽出することができる。このように、ＭＡＣ  ＰＤＵにＬＣＩＤを含む必要がなくなり、それにより、オーバーヘッドが減少することが分かる。
【００１３】
本発明の第２の態様によれば、ネットワーク機器伝送方法であって、チャネルを介してユーザ機器に伝送されるパケットが、所定のフォーマットに従って多重化される情報要素を含み、その所定のフォーマットでは各情報要素がそのパケット内のその情報要素を識別する識別子を有する伝送方法が提供され、その方法は、チャネルを介して伝送されるパケットが２つ以上の情報要素を含まないことをネットワーク機器で判定するステップと、チャネルを介して伝送されるパケットが、識別子が提供されない修正フォーマットでエンコードされることを表す標識を伝送するステップと、すべての識別子が省略された修正フォーマットでエンコードされたパケットをチャネルを介して伝送するステップとを含む。
【００１４】
一実施形態では、判定するステップは、ネットワーク機器でユーザ機器からのランダム・アクセス・プリアンブルを受信するステップを含み、標識を伝送するステップは、ネットワーク機器からユーザ機器にランダム・アクセス無線ネットワーク一時識別子を伝送するステップを含み、パケットを伝送するステップは、ネットワーク機器からユーザ機器に、ランダム・アクセス応答を情報要素として含む変更媒体アクセス制御プロトコル・データ・ユニットを伝送するステップを含む。
【００１５】
一実施形態では、判定するステップは、ブロードキャスト・チャネル伝送を開始するステップを含み、標識を伝送するステップは、ネットワーク機器からユーザ機器にブロードキャスト制御チャネル無線ネットワーク一時識別子を伝送するステップを含み、パケットを伝送するステップは、ネットワーク機器からユーザ機器に、ブロードキャスト情報を情報要素として含む変更媒体アクセス制御プロトコル・データ・ユニットを伝送するステップを含む。
【００１６】
一実施形態では、判定するステップは、ページング・チャネル伝送を開始するステップを含み、標識を伝送するステップは、ネットワーク機器からユーザ機器にページング制御チャネル無線ネットワーク一時識別子を伝送するステップを含み、パケットを伝送するステップは、ネットワーク機器からユーザ機器に、ページング情報を情報要素として含む変更媒体アクセス制御プロトコル・データ・ユニットを伝送するステップを含む。
【００１７】
本発明の第３の態様によれば、ユーザ機器受信方法であって、ネットワーク機器からチャネルを介して受信されるパケットが、所定のフォーマットに従って多重化される情報要素を含み、その所定のフォーマットでは各情報要素がそのパケット内のその情報要素を識別する識別子を有する受信方法が提供され、その方法は、チャネルを介して伝送されるパケットが、識別子が提供されない修正フォーマットでエンコードされることを表す標識を受信するステップと、すべての識別子が省略された修正フォーマットでエンコードされたパケットをチャネルを介して受信するステップと、データ・チャネルを介して受信されたパケットを、情報要素を抽出するために修正フォーマットに従ってデコードするステップとを含む。
【００１８】
一実施形態では、標識を受信するステップは、ネットワーク機器からランダム・アクセス無線ネットワーク一時識別子を受信するステップを含み、パケットを受信するステップは、ネットワーク機器から、ランダム・アクセス応答を情報要素として含む変更媒体アクセス制御プロトコル・データ・ユニットを受信するステップを含み、デコードするステップは、ユーザ機器の媒体アクセス制御層に、変更媒体アクセス制御プロトコル・データ・ユニットは、ランダム・アクセス応答を抽出するために修正フォーマットでエンコードされていることを知らせるステップを含む。
【００１９】
一実施形態では、標識を受信するステップは、ネットワーク機器からブロードキャスト制御チャネル無線ネットワーク一時識別子を受信するステップを含み、パケットを受信するステップは、ネットワーク機器から、ブロードキャスト情報を情報要素として含む変更媒体アクセス制御プロトコル・データ・ユニットを受信するステップを含み、
デコードするステップは、ユーザ機器の媒体アクセス制御層に、変更媒体アクセス制御プロトコル・データ・ユニットは、ブロードキャスト情報を抽出するために修正フォーマットでエンコードされていることを知らせるステップを含む。
【００２０】
一実施形態では、標識を受信するステップは、ネットワーク機器からページング制御チャネル無線ネットワーク一時識別子を受信するステップを含み、パケットを受信するステップは、ネットワーク機器から、ページング情報を情報要素として含む変更媒体アクセス制御プロトコル・データ・ユニットを受信するステップを含み、デコードするステップは、ユーザ機器の媒体アクセス制御層に、変更媒体アクセス制御プロトコル・データ・ユニットは、ページング情報を抽出するために修正フォーマットでエンコードされていることを知らせるステップを含む。
【００２１】
一実施形態では、ネットワーク機器は、発展型ユニバーサル地上無線アクセス・ネットワークのノードＢであり、チャネルはダウンリンク共用チャネルである。
【００２２】
本発明の第４の態様によれば、パケットをチャネルを介してユーザ機器に伝送するためのネットワーク機器であって、パケットが、所定のフォーマットに従って多重化される情報要素を含み、その所定のフォーマットでは各情報要素がそのパケット内のその情報要素を識別する識別子を有するネットワーク機器が提供され、そのネットワーク機器は、チャネルを介して伝送されるパケットが２つ以上の情報要素を含まないことを判定するように動作可能な判定手段と、チャネルを介して伝送されるパケットが識別子が提供されない修正フォーマットでエンコードされることを表す標識をネットワーク機器とユーザ機器間で伝送するように、およびすべての識別子が省略された修正フォーマットでエンコードされたパケットをチャネルを介して伝送するように動作可能な伝送手段とを有する。
【００２３】
一実施形態では、判定手段は、ユーザ機器からのランダム・アクセス・プリアンブルを受信するように動作可能であり、伝送手段は、ユーザ機器にランダム・アクセス無線ネットワーク一時識別子を標識として伝送するように、およびユーザ機器に、ランダム・アクセス応答を情報要素として含む変更媒体アクセス制御プロトコル・データ・ユニットをパケットとして伝送するように動作可能である。
【００２４】
一実施形態では、伝送手段は、ユーザ機器にブロードキャスト制御チャネル無線ネットワーク一時識別子を標識として伝送するように、およびユーザ機器に、ブロードキャスト情報を情報要素として含む変更媒体アクセス制御プロトコル・データ・ユニットをパケットとして伝送するように動作可能である。
【００２５】
一実施形態では、伝送手段は、ユーザ機器にページング制御チャネル無線ネットワーク一時識別子を標識として伝送するように、およびユーザ機器に、ページング情報を情報要素として含む変更媒体アクセス制御プロトコル・データ・ユニットをパケットとして伝送するように動作可能である。
【００２６】
本発明の第５の態様によれば、パケットをチャネルを介してネットワーク機器から受信するためのユーザ機器であって、パケットが、所定のフォーマットに従って多重化される情報要素を含み、その所定のフォーマットでは各情報要素がそのパケット内のその情報要素を識別する識別子を有するユーザ機器が提供され、そのユーザ機器は、チャネルを介して伝送されるパケットが識別子が提供されない修正フォーマットでエンコードされることを表す、ネットワーク機器とユーザ機器間で伝送される標識を受信するように、および修正フォーマットでエンコードされたパケットをチャネルを介して受信するように動作可能な受信手段と、データ・チャネルを介して受信されたパケットを、情報要素を抽出するために修正フォーマットに従ってデコードするように動作可能なデコーディング手段とを有する。
【００２７】
一実施形態では、受信手段は、ネットワーク機器からランダム・アクセス無線ネットワーク一時識別子を標識として受信するように、およびネットワーク機器から、ランダム・アクセス応答を情報要素として含む変更媒体アクセス制御プロトコル・データ・ユニットをパケットとして受信するように動作可能であり、デコーディング手段は、媒体アクセス制御層に、変更媒体アクセス制御プロトコル・データ・ユニットは、ランダム・アクセス応答を抽出するために修正フォーマットでエンコードされていることを知らせるように動作可能である。
【００２８】
一実施形態では、受信手段は、ネットワーク機器からブロードキャスト制御チャネル無線ネットワーク一時識別子を標識として受信するように、およびネットワーク機器から、ブロードキャスト情報を情報要素として含む変更媒体アクセス制御プロトコル・データ・ユニットをパケットとして受信するように動作可能であり、デコーディング手段は、媒体アクセス制御層に、変更媒体アクセス制御プロトコル・データ・ユニットは、ブロードキャスト情報を抽出するために修正フォーマットでエンコードされていることを知らせるように動作可能である。
【００２９】
一実施形態では、受信手段は、ネットワーク機器からページング制御チャネル無線ネットワーク一時識別子を標識として受信するように、およびネットワーク機器から、ページング情報を情報要素として含む変更媒体アクセス制御プロトコル・データ・ユニットをパケットとして受信するように動作可能であり、デコーディング手段は、媒体アクセス制御層に、変更媒体アクセス制御プロトコル・データ・ユニットは、ページング情報を抽出するために修正フォーマットでエンコードされていることを知らせるように動作可能である。
【００３０】
本発明の第６の態様によれば、第４の態様による少なくとも１つのネットワーク機器と、第５の態様による少なくとも１つのユーザ機器を含む遠隔通信システムが提供される。
【００３１】
本発明のさらなる詳細な、好ましい態様は、添付の特許請求の範囲の独立請求項および従属請求項に記載される。従属請求項の特徴は、適宜、独立請求項の特徴と、さらに請求項に明示的に記載されている特徴以外の特徴とも合わせて統合することができる。
【００３２】
本発明の実施形態を添付の図面を参照してさらに説明する。
【図面の簡単な説明】
【００３３】
【図１】ＭＡＣ  ＰＤＵを示した図である。
【図２】一実施形態による、ランダム・アクセス・イベント中のＥ−ＵＴＲＡＮノードＢとユーザ機器の動作を示した図である。
【図３】一実施形態による、ブロードキャスト・イベント中のＥ−ＵＴＲＡＮノードＢとユーザ機器間の相互作用を示した図である。
【図４】一実施形態による、ページング・イベント中のＥ−ＵＴＲＡＮノードＢとユーザ機器間の相互作用を示した図である。
【発明を実施するための形態】
【００３４】
図２は、一実施形態による、ランダム・アクセス・イベント中のＥ−ＵＴＲＡＮ遠隔通信システムのｅＮＢ  １０とユーザ機器２０の動作を示している。ｅＮＢ  １０は、ＵＥ  ２０から、ランダム・アクセス・チャネル（ＲＡＣＨ）上のランダム・アクセス・プリアンブルを受信する。ｅＮＢ  １０は、ＲＡ−ＲＮＴＩを物理的ダウンリンク制御チャネル（ＰＤＣＣＨ）――Ｌ１〜Ｌ２制御チャネル――を介してＵＥ  ２０に伝送する。ｅＮＢ  １０は、ＤＬ−ＳＣＨ上を伝送される関連の情報は他のいずれとも多重化されないことを理解しているので、ｅＮＢ  １０はその情報を、ＬＣＩＤが省略された変更ＭＡＣ  ＰＤＵを使用して伝送することができる。したがって、ｅＮＢ  １０は、ランダム・アクセス応答（ＲＡＲ）を、ＭＡＣ  ＣＥまたはＭＡＣ  ＳＤＵに関連付けられたＭＡＣ  ＰＤＵサブヘッダがＬＣＩＤを含まないＭＡＣ  ＣＥまたはＭＡＣ  ＳＤＵとして伝送する。次に、この変更ＭＡＣ  ＰＤＵがＤＬ−ＳＣＨを介してＵＥ  ２０に伝送される。ＲＡＲはヘッダを含んでも、含まなくてもよい。
【００３５】
ＵＥ  ２０は、ＰＤＣＣＨ（Ｌ１〜Ｌ２制御チャネル）を介してＲＡ−ＲＮＴＩを受信すると、この信号は、ＤＬ−ＳＣＨを介して変更ＭＡＣ  ＰＤＵが受信されることを表していることを理解する。したがって、ＵＥ  ２０は内部でＵＥ  ２０のＭＡＣプロトコル・レベルに、ＤＬ−ＳＣＨを介して受信されるパケットを変更ＭＡＣ  ＰＤＵとしてデコードするように指示する。このようにして、次に、ＲＡＲが変更ＭＡＣ  ＰＤＵから抽出できる。
【００３６】
図３は、一実施形態による、ブロードキャスト・イベント中のＥ−ＵＴＲＡＮ遠隔通信システムのｅＮＢ  １０とユーザ機器２０の動作を示している。ブロードキャストが行われる時、ｅＮＢ  １０は、ＢＣＣＨ−ＲＮＴＩを物理的ダウンリンク制御チャネル（ＰＤＣＣＨ）――Ｌ１〜Ｌ２制御チャネル――を介してＵＥ  ２０に伝送する。ｅＮＢ  １０は、ＤＬ−ＳＣＨ上を伝送される関連の情報は他のいずれとも多重化されないことを理解しているので、ｅＮＢ  １０はその情報を、ＬＣＩＤが省略された変更ＭＡＣ  ＰＤＵを使用して伝送することができる。したがって、ｅＮＢ  １０は、ブロードキャスト情報を、ＭＡＣ  ＣＥまたはＭＡＣ  ＳＤＵに関連付けられたＭＡＣ  ＰＤＵサブヘッダがＬＣＩＤを含まないＭＡＣ  ＣＥまたはＭＡＣ  ＳＤＵとして伝送する。次に、この変更ＭＡＣ  ＰＤＵがＤＬ−ＳＣＨを介してＵＥ  ２０に伝送される。ブロードキャスト情報はヘッダを含んでも、含まなくてもよい。
【００３７】
ＵＥ  ２０は、ＰＤＣＣＨ（Ｌ１〜Ｌ２制御チャネル）を介してＢＣＣＨ−ＲＮＴＩを受信すると、この信号は、ＤＬ−ＳＣＨを介して変更ＭＡＣ  ＰＤＵが受信されることを表していることを理解する。したがって、ＵＥ  ２０は内部でＵＥ  ２０のＭＡＣプロトコル・レベルに、ＤＬ−ＳＣＨを介して受信されるパケットを変更ＭＡＣ  ＰＤＵとしてデコードするように指示する。このようにして、次に、ブロードキャストが変更ＭＡＣ  ＰＤＵから抽出できる。
【００３８】
図４は、一実施形態による、ページング・イベント中のＥ−ＵＴＲＡＮ遠隔通信システムのｅＮＢ  １０とユーザ機器２０の動作を示している。ページングが行われる時、ｅＮＢ  １０は、ページング識別子（ｐａｇｉｎｇ＿ＲＮＴＩ）を物理的ダウンリンク制御チャネル（ＰＤＣＣＨ）――Ｌ１〜Ｌ２制御チャネル――を介してＵＥ  ２０に伝送する。ｅＮＢ  １０は、ＤＬ−ＳＣＨまたはページング・チャネル（ＰＣＨ）上を伝送される関連の情報は他のいずれとも多重化されないことを理解しているので、ｅＮＢ  １０はその情報を、ＬＣＩＤが省略された変更ＭＡＣ  ＰＤＵを使用して伝送することができる。したがって、ｅＮＢ  １０は、ページング情報を、ＭＡＣ  ＣＥまたはＭＡＣ  ＳＤＵに関連付けられたＭＡＣ  ＰＤＵサブヘッダがＬＣＩＤを含まないＭＡＣ  ＣＥまたはＭＡＣ  ＳＤＵとして伝送する。次に、この変更ＭＡＣ  ＰＤＵがＤＬ−ＳＣＨまたはＰＣＨを介してＵＥ  ２０に伝送される。
【００３９】
ＵＥ  ２０は、ＰＤＣＣＨを介してｐａｇｉｎｇ＿ＲＮＴＩを受信すると、この信号は、ＤＬ−ＳＣＨまたはＰＣＨ上で変更ＭＡＣ  ＰＤＵが受信されることを表していることを理解する。したがって、ＵＥ  ２０は内部でＵＥ  ２０のＭＡＣプロトコル・レベルに、ＤＬ−ＳＣＨまたはＰＣＨを介して受信されるパケットを変更ＭＡＣ  ＰＤＵとしてデコードするように指示する。このようにして、次に、ページング情報が変更ＭＡＣ  ＰＤＵから抽出できる。
【００４０】
したがって、特定の状況では、ＵＥ  ２０をアドレス指定し、データ・チャネル上に変更ＭＡＣ  ＰＤＵが存在することをＵＥ  ２０に知らせるために制御チャネル上でメッセージが使用される。ＵＥ  ２０の物理プロトコル層とＭＡＣプロトコル層の間の内部相互作用により、ＭＡＣプロトコル層は変更ＭＡＣ  ＰＤＵの存在を知らされる。この内部相互作用は、制御チャネル上のメッセージによってトリガされる。データ・チャネルを介して送信されるメッセージはＭＡＣ層で他のメッセージと多重化されないので、メッセージを多重化し、正しいエンティティまたは様々な論理チャネルにアドレス指定するためにＬＣＩＤは必要ない。その結果、一部のＭＡＣ  ＰＤＵメッセージは最適化されたフォーマットが得られる。
【００４１】
したがって、ｅＮＢ  １０とＵＥ  ２０の間でＤＬ−ＳＣＨを介して、ＬＣＩＤを含む必要がない変更ＭＡＣ  ＰＤＵを使用して伝送を行えることが理解できる。そのため、伝送オーバーヘッドが減少する。
【００４２】
上述の発明の実施形態が、少なくとも部分的に、ソフトウェア制御のデータ処理装置を使用して実施される限り、そのようなソフトウェア制御を提供するコンピュータ・プログラム、およびそのようなコンピュータ・プログラムが記憶される記憶媒体は、本発明の態様と見なされることが理解できよう。
【００４３】
本発明の例示の実施形態は本明細書で添付の図面を参照して詳細に開示されたが、本発明は、厳密な実施形態に限定されないこと、および当業者は、添付の特許請求の範囲に記載の請求項およびその均等物によって定義される本発明の範囲から逸脱することなく様々な変更および修正を行えることが理解できよう。
【図１】
2011509577.tif 000003
【図２】
2011509577.tif 000004
【図３】
2011509577.tif 000005
【図４】
2011509577.tif 000006
【国際調査報告】
2011509577.tif 000007
2011509577.tif 000008